(57)【要約】【課題】  地震でドア枠が変形し、そのドア枠がドアに圧接してドアの開放が困難になった場合でも、特に既存のドアに対する加工を施すことなく、安価で且つ簡単にドアの開放作業が可能となる治具としてのドア開放具を提供する。【解決手段】  筒状の本体２と、この本体２の先端外周面に設けられた挿入部３と、上記本体２の基端側外周面を移動可能に螺合された固定部材５と、上記本体２内から出没可能に螺合された押圧部材６と、この押圧部材６の基端に設けられた操作部材７とを備えたドア開放具１であって、ドア枠３０と、ドア３１との隙間Ｓに上記挿入部３を挿入し、この挿入部３と上記固定部材５とでドア枠３１を挟持した状態で上記操作部材７を回動させ、ねじ作用により上記本体２から突出した上記押圧部材６でドア３１を開放方向へ押圧するようにした。【選択図】  図１
2008120566.tif 000002
【特許請求の範囲】
【請求項１】
筒状の本体と、この本体の先端外周に設けられた挿入部と、上記本体の基端側外周に移動可能に螺合された固定部材と、上記本体内に出没可能に螺合された押圧部材と、この押圧部材の基端に設けられた操作部材とを備え、ドア枠と、ドアとの隙間に上記挿入部を挿入し、この挿入部と上記固定部材とでドア枠を挟持した状態で上記操作部材を介して上記押圧部材を回動させ、ねじ作用により上記本体から突出した上記押圧部材でドアを開放方向へ押圧するようにしたことを特徴とするドア開放具。
【請求項２】
上記挿入部材は円板状に形成されると共に、その先端に上記ドア枠とドアとの隙間への挿入作業を容易にするための外周側程薄肉状となるテーパ部が形成されている請求項１記載のドア開放具。
【請求項３】
上記固定部材の先端側面にはゴム材よりなる摩擦部材が設けられている請求項１記載のドア開放具。
【請求項４】
上記操作部材は外周部に複数個の突部を有する菊葉状のダイヤルとして形成されると共に、押圧部材の直径よりも大径に設定されている請求項１記載のドア開放具。
【請求項５】
上記操作部材は押圧部材に対して着脱可能に設けられている請求項１記載のドア開放具。
【発明の詳細な説明】
【技術分野】
【０００１】
この発明は、地震によって一般住宅や集合住宅における出入口用のドアのドア枠が変形しても、容易にドアの開放作業を行うことができる治具としてのドア開放具に関する。
【背景技術】
【０００２】
地震発生時には、建物が倒壊や崩壊を免れても、建物自体の変形によってドア枠周辺の壁部に変形が生じてドア枠を変形させ、そのドア枠がドアに圧接することでこれらの間に大きな摩擦抵抗が発生し、ドアが開き難くなってその開放作業に大きな力を必要とする場合がある。
【０００３】
このとき、上記ドアが各部屋から脱出する唯一の手段である高層ビル、マンション等の集合住宅における玄関ドアである場合には、室内に人が閉じ込められ、その後の火災や余震による所謂、二次災害に巻き込まれる可能性がある。
【０００４】
そこで、近年、この問題点を解決すべく種々の提案がなされている。
【０００５】
たとえば、特許文献１に示すものは、ドアとドア枠との摩擦を低減するローラをローラ受部に接触させて収納し、このローラを回転自在とした耐震装置を設け、この耐震装置をドアの上端面部と、側端面部とに内設している。
【０００６】
この構成によれば、ドア枠が変形してドアに圧接しても、上記ローラでドアとドア枠との摩擦が低減されるので、少ない力で容易にドアを開かせることができる。
【０００７】
また、特許文献２に示すものは、第１のドア内に第２のドアを形成した耐震ドアであって、地震等により第１のドアにおけるドア枠の変形によって上記第１のドアの開閉が不能となった場合には、第２のドアを介して屋内外への出入りを行うようにしている。
【特許文献１】特開２００１−２８００３０号（図１及び図２参照）
【特許文献２】特開２００４−６８２５４号（図７参照）
【発明の開示】
【発明が解決しようとする課題】
【０００８】
しかしながら、上記特許文献１に示す耐震装置にあって、装置自体は、コンパクトなものであるが、ドアに対する加工が必要なため、既存のドアに対して取り付けようとすると、取付可能なドアに制約が生じたり、取付費用が嵩んだりすると言う問題点がある。
【０００９】
また、上記特許文献２に示す耐震ドアは、既存のドアへの取り付けは不可能であり、ドア自体の交換が必要になるので、やはり取付費用が嵩むと言う問題点がある。
【００１０】
そこで、本発明の目的は、地震でドア枠が変形しても、特に既存のドアに対する加工を施すことなく、安価で簡単にドアの開放作業が可能となる治具としてのドア開放具を提供することである。
【課題を解決するための手段】
【００１１】
上記の目的を達成するため、本発明の構成を、筒状の本体と、この本体の先端外周に設けられた挿入部と、上記本体の基端側外周に移動可能に螺合された固定部材と、上記本体に出没可能に螺合された押圧部材と、この押圧部材の基端に設けられた操作部材とを備えたドア開放具であって、ドア枠と、ドアとの隙間に上記挿入部を挿入し、この挿入部と上記固定部材とでドア枠を挟持した状態で上記操作部材を介して上記押圧部材を回動させ、ねじ作用により上記本体から突出した上記押圧部材でドアを開放方向へ押圧するようにしたことを特徴とするものである。
【発明の効果】
【００１２】
地震でドア枠が変形し、そのドア枠がドアに圧接することでこれらの間に大きな摩擦抵抗が発生し、ドアが開き難くなってその開放作業に大きな力を必要とする場合、本発明のドア開放具を以下のように使用する。
【００１３】
まず、ドア枠と、ドアとの隙間に上記挿入部を挿入し、固定部を回動させることで、挿入部と固定部とでドア枠を挟持して本体をこのドア枠に位置決め固定する。
【００１４】
ついで、操作部材を回動させてねじ作用によって上記本体から押圧部材を突出させ、ドアを開放方向へ押圧する。
【００１５】
このとき、上記操作部材を押圧部材の直径よりも大径に設定したので、小さな操作トルクで上記ドアを開放方向へ押圧する、即ち、大きなドア押圧力を発生することができる。
【００１６】
したがって、本発明のドア開放具を用いると、特に既存のドアに対する加工を施すことなく、安価で且つ簡単にドア開放作業を行うことができる。
【発明を実施するための最良の形態】
【００１７】
以下に、この発明を玄関ドアに使用するドア開放具に具体化した一実施の形態を図に基づいて説明する。
【００１８】
図１に示すように、図示する実施形態のドア開放具１は、円筒状の本体２と、この本体２の先端外周に設けられた円板状の挿入部３と、上記本体２の基端側外周面に形成された雄ねじ部２ａ上に移動可能に螺合されたナット状の固定部材５と、上記本体２内から出没可能に螺合された棒状の押圧部材６と、この押圧部材６の基端に設けられた操作部材７とから構成されている。
【００１９】
以下、さらに詳述すると、上記挿入部３は、上記本体２の外周面と直交するようこの本体２と一体形成されており、その先端部には後述するドア枠とドアとの隙間への挿入を容易にするための外周側程薄肉状となるテーパ部１０が形成されている。
【００２０】
上記本体２の先端側内周面には雌ねじ部２ｂが形成されており、この雌ねじ部２ｂには先端が湾曲状に形成されると共に、外周面に雄ねじ部６ａが形成された上記押圧部材６が螺合されている。
【００２１】
したがって、上記本体２を固定した状態で、この押圧部材６を回転させると、図１の二点鎖線で示すように、ねじ作用によって本体２の先端から押圧部材６が突出し、その先端が後述する玄関ドアのドアに当接して開放方向へ押圧するようになっている。
【００２２】
なお、上記雌ねじ部２ｂ及び雄ねじ部６ａには一条ねじや二条ねじを使用することができる。
【００２３】
本体２の基端側外周面に形成された上記雄ねじ部２ａは、所定長さに渡って形成されており、この雄ねじ部２ａには内周面に雌ねじ部５ａを備えた上記固定部材５が移動可能に螺合されている。
【００２４】
固定部材５の先端側面（図１における上面を言う）は、平板状に形成されており、この先端側面にはゴム材よりなる摩擦部材１２が設けられている。
【００２５】
したがって、固定部材５の上記先端側面と、上記挿入部３の基端側面（図１における下面を言う）との間にドア枠を配置して固定部材５を回動させることで、これらの間にドア枠を挟持し、このドア枠に対してドア開放具１が強固に位置決め固定されるようになっている。
【００２６】
上記操作部材７は、外周部に複数個の突部１３を有する菊葉状のダイヤルとして形成されると共に、押圧部材６の直径よりも大径に設定されることで、小さな操作トルクで上記したドアを開放方向へ押圧することができる、即ち、大きなドア押圧力を発生できるようになっている。
【００２７】
以上のように構成されたドア開放具１の作用を説明すると、まず、上記ドア開放具１が使用される玄関ドア３２について説明すると、図２に示すように、この玄関ドア３２は、建物の壁部に固定された四角枠状のドア枠３０にヒンジ３３を介してドア３１が開閉自在に取り付けられている。
【００２８】
上記ドア枠３０は、図３に示すように、その室内側（図３おける下方を言う）に内側（図３における右方を言う）へ向かって突出する突出部３４が全周に渡って形成されており、この突出部３４の室外側平面部３４ａに上記ドア３１の室内側端部が所定の隙間（１〜２ミリ）Ｓを設けた状態で配置されるようになっている。
【００２９】
この状態の玄関ドア３２において、地震によって上記建物の壁部が変形して上記ドア枠３０を変形させ、そのドア枠３０がドア３１に圧接することでこれらの間に大きな摩擦抵抗が発生し、人の力ではドア３１の開放が困難となった場合には、図４、５に示すように、上記ドア開放具１の挿入部３を上記ドア枠３０のドアノブ３５側となる突出部３４の室外側平面部３４ａとドア３１の室内側端面との隙間Ｓに挿入する。
【００３０】
ついで、上記本体２の基端側外周面に螺合された固定部材５を回動させ、この固定部材５の上記先端側面と、上記挿入部３の基端側面との間に突出部３４を挟持することで、図５に示すように、上記ドア開放具１をドア枠３０に対して強固に位置決め固定する。
【００３１】
この状態のドア開放具１は、その本体２がドア枠３０に固定されているので、上記操作部材７を回動させると、ねじ作用によって本体１の先端から上記押圧部材６が図５の二点鎖線で示すように突出し、その先端がドア３１の内側面に当接して開放方向へ押圧する。
【００３２】
このとき、上記操作部材７を押圧部材６の直径よりも大径に設定したので、小さな操作トルクでドア３１を開放方向へ押圧すること、即ち大きなドア押圧力を発生でき、図５の二点鎖線で示すようなドア３１の開放作業を容易に行うことができる。
【００３３】
なお、上記したドア開放具１を用いて玄関ドア３２を開放する際には、予めドアノブ３５を回動させて鍵を解除しておく必要がある。
【００３４】
また、上記挿入部３の先端部にテーパ部１０を形成したので、上記ドア枠３０の突出部３４の室外側平面部３４ａとドア３１の室内側端面との隙間Ｓへの挿入作業を容易に行うことができる。
【００３５】
また、上記固定部材５の先端側面にゴム材よりなる摩擦部材１２を設けたので、固定部材５の上記先端側面と、上記挿入部３の基端側面との間にドア枠３０を挟持したとき、摩擦抵抗によってより強固に位置決め固定することができる。
【００３６】
また、上記操作部材７を、外周部に複数個の突部１３を有する菊葉状に形成したので、操作部材７を手で把持する際、大変握り易い。
【００３７】
なお、この発明は、上記実施の形態に限定されるものではなく、例えば、以下のように変更して具体化することも可能である。
【００３８】
１）図示する実施形態では、操作部材７として菊葉状のダイヤルを用いたが、これに限定されるものではなく、押圧部材６よりも大径であれば任意の形状を設定することができる。
【００３９】
たとえば、Ｌ字状の棒材を用いても良く、こうすれば、押圧部材６からの腕の長さを長く設定してもダイヤルを形成することに比較してかさばらないので、より小さな操作トルクでドア３１を開放方向へ押圧することができる。
【００４０】
２）図示する実施形態では、押圧部材６に対して操作部材７として菊葉状のダイヤルを固定したが、これに限定されるものではなく、予め別部材としておき、使用時に押圧部材６に操作部材７を取り付けるようにしても良い。
【００４１】
このとき、ドア開放具１の挿入部を上記ドア枠３０の突出部３４の室外側平面部３４ａと、ドア３１の室内側端面との隙間Ｓに挿入する際に使用する金槌のような機能を、上記操作部材７に持たせても良い。
【００４２】
３）上記ドア開放具１を構成する各部材は、その本来の機能を果たす限り、合成樹脂、金属等の任意の材質を用いて形成することができ、上記各部材が合成樹脂で形成されれば、軽量で使用し易く、又、金属等に比較し安価に製造可能となる。
【００４３】
４）この発明のドア開放具１は緊急時に使用されるものなので、図示する実施形態で示す玄関ドア３２で使用される場合にはその付近の、例えば、下駄箱辺りの目立つ場所に置いてあると便利であり、また、別部材を用いて上記ドア３１に着脱可能に取り付けても良い。
【図面の簡単な説明】
【００４４】
【図１】この発明のドア開放具の一実施形態を示す一部破断平面図である。
【図２】玄関ドアを示す正面図である。
【図３】図２のドア枠の一部を示す断面図である。
【図４】玄関ドアに本発明のドア開放具を使用した状態を示す正面図である。
【図５】図４におけるドア開放具のドア枠部分に対する取付状態を示す断面図である。
【符号の説明】
【００４５】
１  ドア開放具
２  本体
３  挿入部
５  固定部材
６  押圧部材
７  操作部材
３０  ドア枠
３１  ドア
Ｓ  隙間
【図１】
2008120566.tif 000003
【図２】
2008120566.tif 000004
【図３】
2008120566.tif 000005
【図４】
2008120566.tif 000006
【図５】
2008120566.tif 000007